【事件の表示】
　特願２００１−２５７３３３「液晶表示装置」拒絶査定不服審判事件〔平成１５年　３月　５日出願公開、特開２００３−　６６４３３〕について、次のとおり審決する。
【結　論】
　本件審判の請求は、成り立たない。
【理　由】
第１　手続の経緯・本願発明
　本願は、平成１３年８月２８日の出願であって、平成１８年４月７日及び平成１９年６月２０日に手続補正がなされたところ、平成２０年１月４日付けで拒絶査定がなされ、これに対し、同年３月５日に拒絶査定不服審判が請求されるとともに同日付けで手続補正がなされたものである。
　
　
第２　平成２０年３月５日付けの手続補正についての補正却下の決定
［補正却下の決定の結論］
　平成２０年３月５日付けの手続補正を却下する。
［理由］
１　補正の内容  
　平成２０年３月５日付けの手続補正（以下「本件補正」という。）は、補正前（平成１９年６月２０日の手続補正）の特許請求の範囲の請求項１として、
「第１の方向及びこれに交差する第２の方向に沿って配置された複数の画素電極と、該第１の方向に沿って延伸し、かつ該第２の方向に並設された複数の信号線とが形成された主面を有する第１の基板と、
　前記第１の基板の主面と離間し、かつ対向するように該第１の基板に結合された第２の基板と、
　前記第１の基板及び前記第２の基板との間に封入された液晶層を備え、
　前記第１の基板の主面には前記液晶層に接する配向膜が形成され、
　前記複数の画素電極は前記複数の信号線の隣接する一対に挟まれた領域において、前記第１の方向沿いに一列に並び、且つ該一列に並ぶ該画素電極の各々は該一対の信号線の一方にスイッチング素子を介して接続され、
　前記一列に並ぶ画素電極に対して、前記一対の信号線の一方に沿う端部には、前記第１の方向沿いに延伸し、且つ前記一対の信号線に対応する画素電極が配置されている方向に第１の遮光部分が、前記一対の信号線の他方に沿う端部には、前記第１の方向沿いに延伸し、且つ前記一対の信号線に対応する画素電極が配置されている方向に第２の遮光部分が夫々形成され、
　前記第１の基板の主面において、前記配向膜は前記複数の信号線の
少なくとも一の
　前記第１の遮光部分は前記画素電極と第１の幅で重畳されており、前記第２の遮光部分は前記画素電極と第２の幅で重畳されており、前記第２の幅が前記第１の幅より広く形成され、
　前記第１の遮光部分及び前記第２の遮光部分は、前記第２の基板に形成したブラックマトリクスであることを特徴とする液晶表示装置。」
　
とあったものを、補正後の特許請求の範囲の請求項１として、
　
「第１の方向及びこれに交差する第２の方向に沿って配置された複数の画素電極と、該第１の方向に沿って延伸し、かつ該第２の方向に並設された複数の信号線とが形成された主面を有する第１の基板と、
　前記第１の基板の主面と離間し、かつ対向するように該第１の基板に結合された第２の基板と、
　前記第１の基板及び前記第２の基板との間に封入された液晶層を備え、
　前記第１の基板の主面には前記液晶層に接する配向膜が形成され、
　前記複数の画素電極は前記複数の信号線の隣接する一対に挟まれた領域において、前記第１の方向沿いに一列に並び、且つ該一列に並ぶ該画素電極の各々は該一対の信号線の一方にスイッチング素子を介して接続され、
　前記一列に並ぶ画素電極に対して、前記一対の信号線の一方に沿う端部には、前記第１の方向沿いに延伸し、且つ前記一対の信号線に対応する画素電極が配置されている方向に第１の遮光部分が、前記一対の信号線の他方に沿う端部には、前記第１の方向沿いに延伸し、且つ前記一対の信号線に対応する画素電極が配置されている方向に第２の遮光部分が夫々形成され、
　
前記第１の方向は、前記第１の基板の下側から上側に向かう方向であり、
前記第１の方向の
　前記第１の遮光部分は前記画素電極と第１の幅で重畳されており、前記第２の遮光部分は前記画素電極と第２の幅で重畳されており、前記第２の幅が前記第１の幅より広く形成され、
　前記第１の遮光部分及び前記第２の遮光部分は、前記第２の基板に形成したブラックマトリクスであることを特徴とする液晶表示装置。」
と補正する内容を含むものである（下線は審決で付した。以下同じ。）。
　
　本件補正は、補正前の請求項１の「第１の方向」について、「
前記第１の方向は、前記第１の基板の下側から上側に向かう方向であり、
少なくとも一の
前記第１の方向の
　
２　独立特許要件
　そこで、本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
 　 
（１）引用刊行物
　本願の出願前に頒布され、原査定の拒絶の理由に引用された刊行物である特開平８−１０１４０３号公報（以下「引用刊行物」という。）には、図とともに以下の事項が記載されている。
　
ア　「【０００１】
【産業上の利用分野】この発明はマトリックス型液晶表示装置に関する。」
　
イ　「【０００８】
【課題を解決するための手段】この発明は、複数の走査線と複数の信号線が交差して形成され、隣接する前記走査線と隣接する前記信号線との間に画素電極が形成され、該画素電極とそれに対応する前記走査線及び前記信号線とを接続するスイッチング素子が形成され、前記画素電極上に第１の配向膜が形成された第１の基板と、前記画素電極に対向する対向電極が形成され、該対向電極上に前記第１の配向膜と直交する方向に配向された第２の配向膜が形成された第２の基板と、前記第１と第２の配向膜間に介在された液晶とを備えたマトリックス型液晶表示装置において、前記画素電極の端部の内側を開口縁とされた開口部が形成された遮光膜を前記第１または第２の基板に形成し、且つ前記遮光膜の開口部の開口縁を、ディスクリネーションによる光漏れが最大となる側の前記走査線または前記信号線からの距離が最小となる側の前記走査線または前記信号線からの距離よりも大きくなる位置に配置したものである。
【０００９】
【作用】この発明によれば、遮光膜の開口部の開口縁を、ディスクリネーションによる光漏れが最大となる側の走査線または信号線からの距離が最小となる側の走査線または信号線からの距離よりも大きくなる位置に配置しているので、ディスクリネーションによる光漏れを低減することができるとともに、開口率をなるべく大きくすることができる。」
　
ウ　「【００１０】
【実施例】図１及び図２はこの発明の一実施例におけるマトリックス型液晶表示装置の要部を示したものである。ただし、図１は、図２における下基板２４側のうち下配向膜４１を省略した状態の平面図を示す。このマトリックス型液晶表示装置は、アクティブ駆動される透過型の捩じれネマティック型液晶表示装置（以下、ＴＮ−ＬＣＤという）であり、２枚の偏光子２１、２２間に配置された液晶セル２３を備えている。液晶セル２３は、対向して配置された２枚のガラス基板等からなる下基板２４と上基板２５及びその間に介在された液晶２６等を備えている。液晶２６は、９０°連続して捩じれた捩じれネマティック液晶からなっている。
【００１１】下基板２４の上面側には複数の走査線（ゲートライン）３１と複数の信号線（ドレインライン）３２が交差して設けられ、その各交点近傍にはスイッチング素子としての薄膜トランジスタ３３、画素電極３４及びシールド型の補助容量電極３５が設けられている。すなわち、下基板２４の上面の所定の個所にはゲート電極３６を含む走査線３１が形成され、他の所定の個所には補助容量電極３５が形成され、その上面全体にはゲート絶縁膜３７が形成されている。ゲート絶縁膜３７の上面の所定の個所にはアモルファスシリコンやポリシリコン等からなる半導体薄膜３８が形成されている。半導体薄膜３８の上下両端部の各上面及びその近傍にはソース電極３９及びドレイン電極４０が形成され、またこれら電極３９、４０の形成と同時に信号線３２が形成されている。ゲート絶縁膜３７の上面の所定の個所には透明な画素電極３４がソース電極３９に接続されて形成されている。そして、全上面には下配向膜４１が形成されている。
【００１２】一方、上基板２５の下面の所定の個所には遮光膜（ブラックマスク）４２が形成され、その他の部分つまり遮光膜４２の各開口部４２ａには赤（Ｒ）、緑（Ｇ）、青（Ｂ）の各カラーフィルタ４３が形成されている。カラーフィルタ４３及び遮光膜４２の下面には共通電極（対向電極）４４が形成され、共通電極４４の下面には上配向膜４５が形成されている。なお、図１における一点差線は遮光膜４２の開口部４２ａの開口縁を示す。
【００１３】ここで、画素電極３４、補助容量電極３５及び遮光膜４２の開口部４２ａの位置関係について説明する。・・・遮光膜４２の開口部４２ａの上辺開口縁は画素電極３４の上辺の内側で且つ補助容量電極３５の共通直線部３５ａの内側に配置されている。遮光膜４２の開口部４２ａの左辺開口縁は画素電極３４の左辺の内側で且つ補助容量電極３５の左側引出部３５ｂの外側に配置されている。遮光膜４２の開口部４２ａの右辺開口縁は画素電極３４の右辺の内側で且つ補助容量電極３５の右側引出部３５ｃの外側に配置されている。遮光膜４２の開口部４２ａの下辺開口縁は画素電極３４の下辺の内側に配置されている。
【００１４】次に、画素電極３４と遮光膜４２の開口部４２ａとの具体的な位置関係について説明するに、まず、両配向膜４１、４５の配向方向とディスクリネーションの発生位置との関係について説明する。まず、図３に１つの画素電極３４とその周囲の走査線３１及び信号線３２の概略平面図を示す。この場合、画素電極３４と走査線３１及び信号線３２間の間隙部（以下、単に間隙部という）の幅を一律にＬとする。また、図３において点線の矢印で示すように、下配向膜４１の配向方向を左斜め上方向とし、同図において実線の矢印で示すように、上配向膜４５の配向方向を左斜め下方向とした。・・・
【００１５】そして、画素電極３４に＋６Ｖ、この画素電極３４の右側の信号線３２に−６Ｖ、共通電極４４及び補助容量電極３５に０Ｖそれぞれ印加し、液晶２６の配向ベクトルと等電位曲線を調べたところ、図５（Ａ）に示す結果が得られ、また液晶２６の配向ベクトルとＹ値（Ｙ値透過率曲線）を調べたところ、図５（Ｂ）に示す結果が得られた。図５（Ａ）を見ると、電気力線が電位カーブと垂直方向に生じ、間隙部の中心に対して同心円状に走り、画素電極３４から信号線３１方向への横方向電界の電気力線と両配向膜４１、４５の配向力によるチルトの向きが不自然な場所つまり間隙部の左側においてリバースチルトが発生し、間隙部の左側にディスクリネーションが発生していることが分かる。一方、図５（Ｂ）を見ると、間隙部の左側にディスクリネーションによる光漏れのピークが発生し、このピーク側での光漏れの浸透距離が０．５ｄ程度でピーク点でのＹ値が１２程度であり、一方ピーク反対側での光漏れの浸透距離が０．３ｄ程度で信号線端でのＹ値が１０程度であることが分かる。ただし、光漏れの浸透距離は、光漏れのＹ値が完全な暗状態の１０倍の明るさになる地点と画素電極３４の端部との距離Δｘ／ｄとした。」
　
エ　「【００１９】以上のことから、両配向膜４１、４５の配向方向とディスクリネーション発生位置との関係は、図３に示す配向状態の場合と図６に示す配向状態の場合には、図１２（Ａ）及び図１３（Ａ）にそれぞれ示すようになる。まず、図３に示す配向状態の場合について説明する。図５（Ｂ）に示すように、ピーク側での光漏れの浸透距離が０．５ｄ程度でピーク点でのＹ値が１程度２であり、ピーク反対側での光漏れの浸透距離が０．３ｄ程度で信号線端でのＹ値が１０程度であるので、図１２（Ａ）に示すように、画素電極３４の右辺から内側に０．５ｄ程度離れた領域にＹ値１２程度の光漏れが発生し、また画素電極３４の左辺から内側に０．３ｄ程度離れた領域にＹ値１０程度の光漏れが発生する。・・・」
　
オ　「【００２３】このように、図１２及び図１３に示す８つの配向状態でのディスクリネーション発生位置がそれぞれ異なることになる。そこで、例えば図１２（Ａ）に示す配向状態の場合には、図１及び図２に示す遮光膜４２の開口部４２ａの左辺開口縁と画素電極３４の左辺との間隔を０．３ｄとし、遮光膜４２の開口部４２ａの右辺開口縁と画素電極３４の右辺との間隔を０．５ｄとし、・・・ディスクリネーションによる光漏れを低減することができるとともに、開口率をなるべく大きくすることができることになる。・・・」
　
カ　下基板２４の上面側に設けられた画素電極３４及び信号線３２を覆って、下配向膜４１が位置していること、が図２から見て取れる。
　
キ　図１に照らして図３をみると、画素電極３４と該画素電極３４の左辺側の信号線３２とは、薄膜トランジスタ３３を介して接続されていること、が見て取れる。
　
　したがって、上記記載事項を総合すると、引用刊行物には次の発明（以下「引用発明」という。）が記載されている、と認められる。
　
「２枚の偏光子２１、２２間に配置された液晶セル２３を備えてなるマトリックス型液晶表示装置であって、
　液晶セル２３は、対向して配置された２枚のガラス基板等からなる下基板２４と上基板２５及びその間に介在された液晶２６を備え、
　下基板２４の上面側には複数の走査線３１と複数の信号線３２が交差して設けられ、その各交点近傍にはスイッチング素子としての薄膜トランジスタ３３、画素電極３４が設けられ、前記画素電極３４及び信号線３２を覆って下配向膜４１が位置しており、画素電極３４と該画素電極３４の左辺側の信号線３２とは薄膜トランジスタ３３を介して接続されており、
　一方、上基板２５の下面の所定の個所には遮光膜（ブラックマスク）４２が形成され、その他の部分つまり遮光膜４２の各開口部４２ａには赤（Ｒ）、緑（Ｇ）、青（Ｂ）の各カラーフィルタ４３が形成されており、
　下配向膜４１の配向方向を左斜め上方向とし、上配向膜４５の配向方向を左斜め下とした場合に、画素電極３４の右辺から内側に０．５ｄ程度離れた領域に光漏れが発生し、また画素電極３４の左辺から内側に０．３ｄ程度離れた領域に光漏れが発生するので、遮光膜４２の開口部４２ａの左辺開口縁と画素電極３４の左辺との間隔を０．３ｄとし、遮光膜４２の開口部４２ａの右辺開口縁と画素電極３４の右辺との間隔を０．５ｄとして、ディスクリネーションによる光漏れを低減することができる、マトリックス型液晶表示装置。」
 　 
（２）対比
  本願補正発明と引用発明を対比する。
ア　引用発明の「マトリックス型液晶表示装置」は、その「液晶セル２３」が、「対向して配置された２枚のガラス基板等からなる下基板２４と上基板２５及びその間に介在された液晶２６を備え」るものであり、「下基板２４の上面」側に上基板２５が対向配置されるものといえるから、
（ア）引用発明の「下基板２４」、「下基板２４の上面」、「上基板２５」、「液晶２６」及び「マトリックス型液晶表示装置」は、それぞれ、本願補正発明の「第１の基板」、「第１の基板の主面」、「第２の基板」、「液晶層」及び「液晶表示装置」に相当するとともに、
（イ）引用発明は、本願補正発明の「第１の基板と、前記第１の基板の主面と離間し、かつ対向するように該第１の基板に結合された第２の基板と、前記第１の基板及び前記第２の基板との間に封入された液晶層を備え、」との事項を備える。
　
イ　引用発明の「マトリックス型液晶表示装置」は、その「液晶セル２３」の「下基板２４の上面側には複数の走査線３１と複数の信号線３２が交差して設けられ、その各交点近傍にはスイッチング素子としての薄膜トランジスタ３３、画素電極３４が設けられ、・・・画素電極３４と該画素電極３４の左辺側の信号線３２とは薄膜トランジスタ３３を介して接続され」るものであり、下基板２４の上面（主面）には、複数の信号線３２が、下基板２４の下側から上側に向かう第１の方向に沿って延伸しかつ該第１の方向に交差する第２の方向に並設されるとともに、複数の画素電極３４が、前記第１の方向及び前記第２の方向に沿って配置され、しかも、複数の画素電極３４は、前記複数の信号線３２の隣接する一対に挟まれた領域において、前記第１の方向沿いに一列に並び、かつ、該一列に並ぶ画素電極３４の各々は前記一対の信号線３２の一方（左辺側）に薄膜トランジスタ３３を介して接続されている、といえるから、
（ア）引用発明の「画素電極３４」、「信号線３２」及び「（スイッチング素子としての）薄膜トランジスタ３３」は、それぞれ、本願補正発明の「画素電極」、「信号線」及び「スイッチング素子」に相当するとともに、
（イ）引用発明の「下基板２４」は、本願補正発明の「（前記第１の基板の下側から上側に向かう方向である）第１の方向及びこれに交差する第２の方向に沿って配置された複数の画素電極と、該第１の方向に沿って延伸し、かつ該第２の方向に並設された複数の信号線とが形成された主面を有する」との事項を備え、
（ウ）引用発明の「（複数の）画素電極」は、本願補正発明の「前記複数の信号線の隣接する一対に挟まれた領域において、前記第１の方向沿いに一列に並び、且つ該一列に並ぶ該画素電極の各々は該一対の信号線の一方にスイッチング素子を介して接続され、」との事項を備える。
　
ウ　引用発明の「マトリックス型液晶表示装置」は、「下基板２４の上面側に・・・前記画素電極３４及び信号線３２を覆って下配向膜４１が位置しており」、該「下配向膜４１」に「液晶２６」が接することは明らかであるから、
（ア）引用発明の「下配向膜４１」は、本願補正発明の「（液晶層に接する）配向膜」に相当するとともに、
（イ）引用発明の「マトリックス型液晶表示装置」は、本願補正発明の「前記第１の基板の主面には前記液晶層に接する配向膜が形成され、」との事項を備える。
　
エ　引用発明の「マトリックス型液晶表示装置」は、「上基板２５の下面の所定の個所には遮光膜（ブラックマスク）４２が形成され、・・・」、かつ、「・・・画素電極３４の右辺から内側に０．５ｄ程度離れた領域に光漏れが発生し、また画素電極３４の左辺から内側に０．３ｄ程度離れた領域に光漏れが発生するので、遮光膜４２の開口部４２ａの左辺開口縁と画素電極３４の左辺との間隔を０．３ｄとし、遮光膜４２の開口部４２ａの右辺開口縁と画素電極３４の右辺との間隔を０．５ｄとして、ディスクリネーションによる光漏れを低減する」ものであり、「『遮光膜４２の開口部４２ａの左辺開口縁と画素電極３４の左辺との間』の部分」が、一列に並ぶ画素電極３４に対して、一対の信号線３２の薄膜トランジスタ３３が接続された一方（左辺側）に沿う端部に、前記第１の方向沿いに延伸し、且つ前記一対の信号線３２に対応する画素電極３４が配置されている方向に形成された「第１の遮光部分」であり、また、「『遮光膜４２の開口部４２ａの右辺開口縁と画素電極３４の右辺との間』の部分」が、一列に並ぶ画素電極３４に対して、一対の信号線３２の他方（右辺側）に沿う端部に、前記第１の方向沿いに延伸し、且つ前記一対の信号線３２に対応する画素電極３４が配置されている方向に形成された「第２の遮光部分」である、といえるから、引用発明の「マトリックス型液晶表示装置」は、本願補正発明の「前記一列に並ぶ画素電極に対して、前記一対の信号線の一方に沿う端部には、前記第１の方向沿いに延伸し、且つ前記一対の信号線に対応する画素電極が配置されている方向に第１の遮光部分が、前記一対の信号線の他方に沿う端部には、前記第１の方向沿いに延伸し、且つ前記一対の信号線に対応する画素電極が配置されている方向に第２の遮光部分が夫々形成され、」との事項を備える。
　
オ　引用発明の「マトリックス型液晶表示装置」は、「上基板２５の下面の所定の個所には遮光膜（ブラックマスク）４２が形成され、その他の部分つまり遮光膜４２の各開口部４２ａには赤（Ｒ）、緑（Ｇ）、青（Ｂ）の各カラーフィルタ４３が形成され」るものであり、「各開口部４２ａ」を有する「遮光膜（ブラックマスク）４２」がブラックマトリクスであることは明らかであり、また、上記エの「第１の遮光部分」及び「第２の遮光部分」は「遮光膜４２」により構成されるものであるといえるから、
（ア）引用発明の「遮光膜（ブラックマスク）４２」は、本願補正発明の「第２の基板に形成したブラックマトリクス」に相当するとともに、
（イ）引用発明は、本願補正発明の「前記第１の遮光部分及び前記第２の遮光部分は、前記第２の基板に形成したブラックマトリクスである」との事項を備える。
　
カ（ア）引用発明の「マトリックス型液晶表示装置」は、「下配向膜４１の配向方向を左斜め上方向と」するものであるが、この点に関して、本願明細書には以下の（イ）のような記載がある。
（イ）「【００２４】
　【発明の実施の形態】
　以下、本発明の実施の形態について、実施例の図面を参照して詳細に説明する。図１は本発明による液晶表示装置の第１実施例の構成を説明するための模式図であり、液晶層を挟んで対向する第１の基板ＳＵＢ１と第２の基板ＳＵＢ２とにより構成された画素群（４つの画素で例示）の拡大図（下側）、及び夫々の基板に施されたラビングの方向ＤＩＲ１，ＤＩＲ２を示す説明図（上側）からなる。各画素は、第１の基板ＳＵＢ１主面に形成された画素電極ＰＩＸの面を第２の基板ＳＵＢ２主面に形成されたブラックマトリクスの開口で制限することで構成される。図１の（Ａ）は第１の基板に配向膜のラビング方向と映像信号線号Ｘの時計回りの交差角度θが鈍角（９０°＜θ＜１８０°）の場合、（Ｂ）は第１の基板に配向膜のラビング方向と映像信号線号Ｘの時計回りの交差角度θが鋭角（０°＜θ＜９０°）の場合を示す。
　【００２５】
　図中、ＳＵＢ１＋ＳＵＢ２は第１の基板ＳＵＢ１と第２の基板ＳＵＢ２を重ね合わせた状態で第２の基板ＳＵＢ２側からみたラビング方向、ＤＩＲ１は第１の基板の配向膜のラビング方向、ＤＩＲ２は第２の基板の配向膜のラビング方向である。また、Ｘｎ，Ｘｎ＋１は映像信号線で、Ｘｎは注目する画素電極ＰＩＸを駆動する映像信号線、Ｘｎ＋１は注目する画素電極ＰＩＸに隣接する映像信号線である。Ｙｎ，Ｙｎ＋１は走査信号線である。
　【００２６】
　画素電極ＰＩＸは一対の映像信号線ＸｎとＸｎ＋１、一対の走査信号線Ｙｎ，Ｙｎ＋１で囲まれた領域にある。画素電極ＰＩＸは第２の基板ＳＵＢ２に形成されたブラックマトリクスの開口に露呈されており、画素電極ＰＩＸは図の左側ではブラックマトリクスの左側領域ＢＭ−Ｌと重ね合わされ、図の右側ではブラックマトリクスの右側領域ＢＭ−Ｒと重ね合わされている。
　【００２７】
　図１の（Ａ）に示した第１の基板ＳＵＢ１に有する配向膜のラビング方向ＤＩＲ１は映像信号線に対する時計回りの交差角度θが鈍角の場合、ブラックマトリクスの右側領域ＢＭ−Ｒの幅が左側領域ＢＭ−Ｌの幅より広くしてある。すなわち、ブラックマトリクスの開口が画素電極ＰＩＸに対して図の左側にシフトした状態にある。これにより、第１の配向膜のラビング方向ＤＩＲ１が映像信号線に対して時計回りに鈍角であることに起因するディスクリネーションが抑制される。
　【００２８】
　図１の（Ｂ）に示した第１の基板ＳＵＢ１に有する配向膜のラビング方向ＤＩＲ１は映像信号線に対する時計回りの交差角度θが鋭角の場合、ブラックマトリクスの左側領域ＢＭ−Ｌの幅が右側領域ＢＭ−Ｒの幅より広くしてある。すなわち、ブラックマトリクスの開口が画素電極ＰＩＸに対して図の右側にシフトした状態にある。これにより、第１の配向膜のラビング方向ＤＩＲ１が映像信号線に対して時計回りに鋭角であることに起因するディスクリネーションが抑制される。そして、透過型の液晶表示装置では、バックライトの輝度を抑えて電力消費を低減できる。
　【００２９】
　図２は図１における配向膜のラビング方向毎にブラックマトリクスの開口を形成する左右領域の幅を非対称とする代表的な構成の説明図である。図中の参照符号は図１と同様である。図２の（１）は第１の基板ＳＵＢ１の配向膜のラビング方向を映像信号線に対して時計回りに鈍角θで右下向きとし、第２の基板ＳＵＢ２の配向膜のラビング方向を右上方向とした場合である。この場合、ブラックマトリクスは、その右側領域ＢＭ−Ｒの幅が左側領域ＢＭ−Ｌの幅より広くする。
　【００３０】
　図２の（２）は第１の基板ＳＵＢ１の配向膜のラビング方向を映像信号線に対して時計回りに鋭角θで左下向きとし、第２の基板ＳＵＢ２の配向膜のラビング方向を左上方向とした場合である。この場合、ブラックマトリクスは、その左側領域ＢＭ−Ｌの幅が右側領域ＢＭ−Ｒの幅より広くする。
　【００３１】
　図２の（３）は第１の基板ＳＵＢ１の配向膜のラビング方向を映像信号線に対して時計回りに鈍角θで左下向きとし、第２の基板ＳＵＢ２の配向膜のラビング方向を左下方向とした場合である。この場合、ブラックマトリクスは、その右側領域ＢＭ−Ｒの幅が左側領域ＢＭ−Ｌの幅より広くする。
　【００３２】
　図２の（４）は第１の基板ＳＵＢ１の配向膜のラビング方向を映像信号線に対して時計回りに鈍角θで左上向きとし、第２の基板ＳＵＢ２の配向膜のラビング方向を右上方向とした場合である。この場合、ブラックマトリクスは、その右側領域ＢＭ−Ｒの幅が左側領域ＢＭ−Ｌの幅より広くする。
　【００３３】
　このように、画素電極ＰＩＸの左右を遮光する遮光部としてのブラックマトリクスの左右幅をラビング方向の時計回り角度θの鈍角または鋭角に応じて当該画素電極ＰＩＸの開口に対して非対称とすることで、当該配向膜のラビング方向に起因するディスクリネーションの発生を抑制することができる。その結果、コントラストの大きい、高品質の画像表示をえることができる。」
（ウ）上記（イ）（【００３２】）には、図２（４）は、「第１の基板ＳＵＢ１の配向膜のラビング方向を
映像信号線に対して時計回りに鈍角θ
下側から上側に向かう方向に対して、時計回りに鈍角をなす
（エ）上記（ウ）に照らせば、引用発明の「マトリックス型液晶表示装置」は、「下配向膜４１の配向方向を左斜め上方向と」するものであるところ、その配向（ラビング）方向は、信号線３２の、下基板２４の下側から上側に向かう第１の方向の延伸方向に対して時計回りに鈍角をなす、ということができるから、引用発明は、本願補正発明の「前記第１の基板の主面において、前記配向膜は前記複数の信号線の少なくとも一の延伸方向に対して時計回りに鈍角をなす方向にラビングされ、」との事項を備える。
　
キ　引用発明の「マトリックス型液晶表示装置」は、「画素電極３４の右辺から内側に０．５ｄ程度離れた領域に光漏れが発生し、また画素電極３４の左辺から内側に０．３ｄ程度離れた領域に光漏れが発生するので、遮光膜４２の開口部４２ａの左辺開口縁と画素電極３４の左辺との間隔を０．３ｄとし、遮光膜４２の開口部４２ａの右辺開口縁と画素電極３４の右辺との間隔を０．５ｄとして、ディスクリネーションによる光漏れを低減する」ものであり、上記エの「第２の遮光部分」が「画素電極３４」の右辺側で重畳する幅（第２の幅）が、同じく「第１の遮光部分」が「画素電極３４」の左辺側で重畳する幅（第１の幅）より広い、といえるから、引用発明は、本願補正発明の「前記第１の遮光部分は前記画素電極と第１の幅で重畳されており、前記第２の遮光部分は前記画素電極と第２の幅で重畳されており、前記第２の幅が前記第１の幅より広く形成され、」との事項を備える。
　
　したがって、両者は、　  
 「第１の方向及びこれに交差する第２の方向に沿って配置された複数の画素電極と、該第１の方向に沿って延伸し、かつ該第２の方向に並設された複数の信号線とが形成された主面を有する第１の基板と、
　前記第１の基板の主面と離間し、かつ対向するように該第１の基板に結合された第２の基板と、
　前記第１の基板及び前記第２の基板との間に封入された液晶層を備え、
　前記第１の基板の主面には前記液晶層に接する配向膜が形成され、
　前記複数の画素電極は前記複数の信号線の隣接する一対に挟まれた領域において、前記第１の方向沿いに一列に並び、且つ該一列に並ぶ該画素電極の各々は該一対の信号線の一方にスイッチング素子を介して接続され、
　前記一列に並ぶ画素電極に対して、前記一対の信号線の一方に沿う端部には、前記第１の方向沿いに延伸し、且つ前記一対の信号線に対応する画素電極が配置されている方向に第１の遮光部分が、前記一対の信号線の他方に沿う端部には、前記第１の方向沿いに延伸し、且つ前記一対の信号線に対応する画素電極が配置されている方向に第２の遮光部分が夫々形成され、
　前記第１の基板の主面において、前記配向膜は前記複数の信号線の少なくとも一の延伸方向に対して時計回りに鈍角をなす方向にラビングされ、
　前記第１の遮光部分は前記画素電極と第１の幅で重畳されており、前記第２の遮光部分は前記画素電極と第２の幅で重畳されており、前記第２の幅が前記第１の幅より広く形成され、
　前記第１の遮光部分及び前記第２の遮光部分は、前記第２の基板に形成したブラックマトリクスである液晶表示装置。」
である点で一致し、両発明の間には差異はない。
　
　したがって、本願補正発明は、引用刊行物に記載された発明であるから、特許法第２９条第１項第３号に該当し、特許出願の際独立して特許を受けることができないものである。  
 　  
（３）むすび  
　以上のとおり、本件補正は、平成１８年改正前法律第５５号改正附則第３条第１項によりなお従前の例によるとされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
　
第３　本願発明
１　本願発明
　本件補正は上記のとおり却下されたので、本願の請求項に係る発明は、平成１９年６月２０日付けの手続補正によって補正された明細書及び図面の記載からみて、その特許請求の範囲の請求項１に記載された事項によって特定されるものであるところ、請求項１に係る発明（以下「本願発明」という。）は、上記第２［理由］１で、本件補正前の請求項１として記載したとおりのものである。
　
２　刊行物記載の発明
　本願の出願前に頒布され、原査定の拒絶の理由に引用された引用刊行物及び引用発明は、上記第２の２（１）のとおりである。
　
３　対比・判断
　本願発明は、上記第２の２（２）で検討した本願補正発明において、補正前の請求項１の「第１の方向」についての「
前記第１の方向は、前記第１の基板の下側から上側に向かう方向であり
前記第１の方向の
少なくとも一の
　
４　むすび
　以上のとおり、本願発明は、引用刊行物に記載された発明であるから、特許法第２９条第１項第３号に該当し、特許を受けることができない。
　
　よって、結論のとおり審決する。